(57)【要約】【課題】本発明は、より適切な電子チケットシステムを実現可能なサーバ装置を提供することを目的とする。【解決手段】サーバ装置２は、チケットデータベース２ａが記憶しているチケットＩＤのうちの、申し込みがされた電子チケットのチケットＩＤと同一のチケットＩＤに、申し込みに用いられた移動通信端末４の固有情報（端末識別番号）を紐付けてチケットデータベース２ａに記憶させる固有情報紐付部２ｃと、チケットデータベース２ａが記憶している端末識別番号のうちに、モギリ端末３が移動通信端末４から取得した端末識別番号と同一の端末識別番号があるかを判定する固有情報判定部２ｊと、固有情報判定部２ｊによる判定結果を用いて、モギリ端末３が端末識別番号を取得した移動通信端末４の所持者が電子チケットを有しているかを判定するチケット有無判定部２ｋとを備える。【選択図】図１
2017107440.tif 000002
【特許請求の範囲】
【請求項１】
移動通信端末からの電子チケットの申し込みを受け付けるサーバ装置であって、
複数の電子チケットのチケットＩＤを記憶しているチケットデータベースと、
前記申し込みに用いられた移動通信端末から、該移動通信端末の固有情報を取得する第１固有情報取得部と、
前記チケットデータベースが記憶しているチケットＩＤのうちの、前記申し込みがされた電子チケットのチケットＩＤと同一のチケットＩＤに、前記第１固有情報取得部で取得した固有情報を紐付けて前記チケットデータベースに記憶させる固有情報紐付部と、
移動通信端末から固有情報を取得するモギリ端末から、該モギリ端末が移動通信端末から取得した固有情報を取得する第２固有情報取得部と、
前記チケットデータベースが記憶している固有情報のうちに、前記第２固有情報取得部で取得した固有情報と同一の固有情報があるかを判定する固有情報判定部と、
前記固有情報判定部による判定結果を用いて、前記モギリ端末が固有情報を取得した移動通信端末の所持者が電子チケットを有しているかを判定するチケット有無判定部と、
前記チケット有無判定部による判定結果を前記モギリ端末に送信する判定結果送信部とを備えることを特徴とするサーバ装置。
【請求項２】
前記固有情報紐付部で固有情報が紐付けられたチケットＩＤに、電子チケットが申し込まれたことを表す管理フラグを設定する管理フラグ設定部を更に備え、
前記固有情報判定部は、前記チケットデータベースが記憶しているチケットＩＤのうちの、前記第２固有情報取得部で取得された固有情報と同一の固有情報が紐付けられているチケットＩＤに、前記管理フラグが設定されているかを判定することを特徴とする請求項１に記載のサーバ装置。
【請求項３】
移動通信端末から、該移動通信端末が固有ＩＤを有する物体から取得した固有ＩＤ、及び該移動通信端末の固有情報を取得する第１固有ＩＤ取得部と、
前記チケットデータベースが記憶しているチケットＩＤのうちの、前記第１固有ＩＤ取得部で取得した移動通信端末の固有情報と同一の固有情報が紐付けられているチケットＩＤに、前記第１固有ＩＤ取得部で取得した前記物体の固有ＩＤを紐付けて前記チケットデータベースに記憶させる固有ＩＤ紐付部と、
前記モギリ端末から、該モギリ端末が前記物体から取得した固有ＩＤを取得する第２固有ＩＤ取得部とを更に備え、
前記固有情報判定部は、前記第２固有ＩＤ取得部で固有ＩＤを取得したと判定した場合には、前記チケットデータベースが記憶している固有ＩＤのうちに、取得した固有ＩＤと同一の固有ＩＤがあるかを判定し、
前記チケット有無判定部は、前記固有情報判定部による判定結果を用いて、前記モギリ端末が固有ＩＤを取得した前記物体の所持者が電子チケットを有しいているかを判定することを特徴とする請求項１または２に記載のサーバ装置。
【請求項４】
前記固有ＩＤ紐付部で固有ＩＤが紐付けられたチケットＩＤに、前記物体の固有ＩＤが紐付けられたことを表す固有ＩＤフラグを設定する固有ＩＤフラグ設定部を更に備え、
前記固有情報判定部は、前記チケットデータベースが記憶しているチケットＩＤのうち、前記第２固有情報取得部で取得した固有情報と同一の固有情報が紐付けられているチケットＩＤに、前記固有ＩＤフラグが設定されているかを判定し、
前記チケット有無判定部は、前記固有情報判定部で前記固有ＩＤフラグが設定されていると判定した場合に、前記モギリ端末が固有情報を取得した移動通信端末の所持者が電子チケットを有していないと判定することを特徴とする請求項３に記載のサーバ装置。
【請求項５】
電子チケットの申し込みを行うとともに前記物体の固有ＩＤを取得する申込用端末から、該申込用端末が前記物体から取得した固有ＩＤを取得する第３固有ＩＤ取得部と、
前記チケットデータベースが記憶しているチケットＩＤのうちの、前記申込用端末から申し込みがされた電子チケットのチケットＩＤに、前記第３固有ＩＤ取得部で取得した固有ＩＤを紐付けて前記チケットデータベースに記憶させる物体ＩＤ紐付部とを備えることを特徴とする請求項３または４に記載のサーバ装置。
【請求項６】
前記物体は、近距離無線通信を行う非接触式ＩＣカードであることを特徴とする請求項３から５のいずれか１項に記載のサーバ装置。
【請求項７】
移動通信端末からの電子チケットの申し込みを受け付けるサーバ装置と、移動通信端末から固有情報を取得するモギリ端末とを備える電子チケットシステムであって、
前記サーバ装置は、
複数の電子チケットのチケットＩＤを記憶しているチケットデータベースと、
前記申し込みに用いられた移動通信端末から、該移動通信端末の固有情報を取得する第１固有情報取得部と、
前記チケットデータベースが記憶しているチケットＩＤのうちの、前記申し込みがされた電子チケットのチケットＩＤと同一のチケットＩＤに、前記第１固有情報取得部で取得した固有情報を紐付けて前記チケットデータベースに記憶させる固有情報紐付部と、
前記モギリ端末から、該モギリ端末が移動通信端末から取得した固有情報を取得する第２固有情報取得部と、
前記チケットデータベースが記憶している固有情報のうちに、前記第２固有情報取得部で取得した固有情報と同一の固有情報があるかを判定する固有情報判定部と、
前記固有情報判定部による判定結果を用いて、前記モギリ端末が固有情報を取得した移動通信端末の所持者が電子チケットを有しているかを判定するチケット有無判定部と、
前記チケット有無判定部による判定結果を前記モギリ端末に送信する判定結果送信部とを備え、
前記モギリ端末は、
前記サーバ装置から送信された判定結果を提示することを特徴とする電子チケットシステム。
【発明の詳細な説明】
【技術分野】
【０００１】
本発明は、電子チケットで用いられるサーバ装置、及びそのサーバ装置を用いた電子チケットシステムに関する。
【背景技術】
【０００２】
従来、電子チケットシステムで用いられるサーバ装置としては、例えば、特許文献１に記載の技術がある。この特許文献１に記載の技術では、移動通信端末から電子チケットの申し込みがあると、チケットとして使用できる２次元バーコードを生成し、生成した２次元バーコードの画像のＵＲＬ（Uniform Resource Locator）を移動通信端末に送信する。これにより、送信されたＵＲＬに移動通信端末からアクセスし、移動通信端末のディスプレイに２次元バーコードを表示することで、移動通信端末をチケットとして使用できる。
【先行技術文献】
【特許文献】
【０００３】
【特許文献１】特開２００９−１２３０１３号公報
【発明の概要】
【発明が解決しようとする課題】
【０００４】
しかしながら、上記特許文献１に記載の技術では、例えば、ＵＲＬがコピーされ、２次元バーコードが不正に複製されて、電子チケットが不正に複製される可能性があった。
本発明は、上記の点に着目し、より適切な電子チケットシステムを実現可能なサーバ装置、及びそのサーバ装置を用いた電子チケットシステムを提供することを目的とする。
【課題を解決するための手段】
【０００５】
本発明の一態様は、移動通信端末からの電子チケットの申し込みを受け付けるサーバ装置であって、複数の電子チケットのチケットＩＤを記憶しているチケットデータベースと、申し込みに用いられた移動通信端末から、その移動通信端末の固有情報を取得する第１固有情報取得部と、チケットデータベースが記憶しているチケットＩＤのうちの、申し込みがされた電子チケットのチケットＩＤと同一のチケットＩＤに、第１固有情報取得部で取得した固有情報を紐付けてチケットデータベースに記憶させる固有情報紐付部と、移動通信端末から固有情報を取得するモギリ端末から、そのモギリ端末が移動通信端末から取得した固有情報を取得する第２固有情報取得部と、チケットデータベースが記憶している固有情報のうちに、第２固有情報取得部で取得した固有情報と同一の固有情報があるかを判定する固有情報判定部と、固有情報判定部による判定結果を用いて、モギリ端末が固有情報を取得した移動通信端末の所持者が電子チケットを有しているかを判定するチケット有無判定部と、チケット有無判定部による判定結果をモギリ端末に送信する判定結果送信部とを備えることを特徴とする。
【発明の効果】
【０００６】
本発明の一態様によれば、移動通信端末の固有情報を用いることで、移動通信端末をチケットとして使用できる。それゆえ、より適切な電子チケットシステムを実現できる。
【図面の簡単な説明】
【０００７】
【図１】本実施形態に係る電子チケットシステムの概略構成を表す概念図である。
【図２】チケットデータベースを説明するための図である。
【図３】電子チケットシステムの動作を説明するためのシーケンス図である。
【図４】電子チケットシステムの動作を説明するための図である。
【図５】チケットデータベースの状態を説明するための図である。
【図６】電子チケットシステムの動作を説明するためのシーケンス図である。
【図７】電子チケットシステムの動作を説明するための図である。
【図８】チケットデータベースの状態を説明するための図である。
【図９】電子チケットシステムの動作を説明するためのシーケンス図である。
【図１０】電子チケットシステムの動作を説明するための図である。
【図１１】チケットデータベースの状態を説明するための図である。
【図１２】電子チケットシステムの動作を説明するためのシーケンス図である。
【図１３】電子チケットシステムの動作を説明するための図である。
【図１４】チケットデータベースの状態を説明するための図である。
【図１５】変形例に係る電子チケットシステムの概略構成を表す概念図である。
【図１６】電子チケットシステムの動作を説明するためのシーケンス図である。
【図１７】電子チケットシステムの動作を説明するための図である。
【図１８】チケットデータベースの状態を説明するための図である。
【発明を実施するための形態】
【０００８】
以下、本発明の実施形態を図面に基づき説明する。
本実施形態は、本発明を、電子チケットの販売や管理等を行う電子チケットシステムに適用したものである。なお、以下に示す実施形態は、本発明の技術的思想を具体化するための装置や方法を例示するものであって、本発明の技術的思想は、構成部品の形状、構造、配置等を下記のものに特定するものでない。本発明の技術的思想は、請求の範囲に記載された請求項が規定する技術的範囲内において、種々の変更を加えることができる。
【０００９】
（構成）
図１に示すように、電子チケットシステム１は、サーバ装置２と、モギリ端末３と、移動通信端末４と、ＩＣカード５とを備える。サーバ装置２と移動通信端末４は、携帯電話通信網、インターネット網等を用いて、互いに情報を送受信可能な通信路を確立している。また、サーバ装置２とモギリ端末３は、携帯電話通信網が通信不可能な場所でも通信可能な有線経路等を用いて、互いに情報を送受信可能な通信路を確立している。
【００１０】
サーバ装置２は、電子チケットの販売会社によって運営されるサーバである。例えば、Ｗｅｂサーバを採用できる。サーバ装置２は、制御プログラムによって動作し、電子チケットの販売や管理等を行うための各種機能を提供する。制御プログラムは、サーバ装置２を、チケットデータベース２ａ、第１固有情報取得部２ｂ、固有情報紐付部２ｃ、管理フラグ設定部２ｄ、第１固有ＩＤ取得部２ｅ、固有ＩＤ紐付部２ｆ、固有ＩＤフラグ設定部２ｇ、第２固有情報取得部２ｈ、第２固有ＩＤ取得部２ｉ、固有情報判定部２ｊ、チケット有無判定部２ｋ、及び判定結果送信部２ｌとして機能させる。
チケットデータベース２ａは、図２に示すように、複数の電子チケットのチケットＩＤを記憶している。具体的には、チケットデータベース２ａは、複数のレコードを記憶している。各レコードには、電子チケットが対応づけられている。また、各レコードのフィールドには、「チケットＩＤ」、「イベントコード」、「端末識別番号」、「ＩＣカード識別情報」、「ＩＣカード有効フラグ」、及び「使用管理フラグ」が設定されている。
【００１１】
ここで、「チケットＩＤ」は、電子チケットを識別するためのＩＤである。また、「イベントコード」は、各種イベントを識別するためのコードである。また、「端末識別番号」は、移動通信端末４を識別するための番号である。端末識別番号としては、例えば、移動通信端末４のＩＭＥＩ（International Mobile Equipment Identity）とＩＣＣＩＤ（IC Card Identifier）と予め定められた共通番号との合計値のハッシュ値を採用できる。また、「ＩＣカード識別情報」は、ＩＣカード５を識別するための情報である。ＩＣカード識別情報としては、例えば、ＩＣカード５の固有ＩＤのハッシュ値を採用できる。
なお、本実施形態では、移動通信端末４のＩＭＥＩとＩＣＣＩＤと共通番号との合計値のハッシュ値を端末識別番号とする例を示したが、他の構成を採用することもできる。例えば、ＩＭＥＩをそのまま端末識別番号としてもよい。また、本実施形態では、ＩＣカード５の固有ＩＤのハッシュ値をＩＣカード識別情報とする例を示したが、他の構成を採用することもできる。例えば、固有ＩＤをそのままＩＣカード識別情報としてもよい。
【００１２】
また、「ＩＣカード有効フラグ」（広義には、「固有ＩＤフラグ」）は、ＩＣカード識別情報が紐付けられたかを表すための情報である。さらに、「使用管理フラグ」（広義には、「管理フラグ」）は、電子チケットが申し込まれたかを表すための情報である。
なお、フィールド「チケットＩＤ」、「イベントコード」のフィールド値は、予め設定しておく。また、その他のフィールド「端末識別番号」、ＩＣカード識別情報」、ＩＣカード有効フラグ」、「使用管理フラグ」のフィールド値は、何も設定せず、ブランクとする。
【００１３】
第１固有情報取得部２ｂは、電子チケットの申し込みに用いられた移動通信端末４から、その移動通信端末４の固有情報（端末識別番号）を取得する。具体的には、第１固有情報取得部２ｂは、通信路（携帯電話通信網等）を介して、移動通信端末４から電子チケットの申し込み操作がされたことを表す情報（以下、「チケット取得指示」とも呼ぶ）を受信する。そして、第１固有情報取得部２ｂは、チケット取得指示を受信したと判定した場合、決済情報及び端末識別番号の送信指示を、チケット取得指示の送信元の移動通信端末４に通信路（携帯電話通信網等）を介して送信する。決済情報としては、例えば、クレジットカードのカード番号等、電子チケットの売買取引に用いられる情報を採用できる。これにより、移動通信端末４は、決済情報及び端末識別番号をサーバ装置２に送信する。
続いて、第１固有情報取得部２ｂは、通信路（携帯電話通信網等）を介して、移動通信端末４から送信された決済情報及び端末識別番号を受信する。そして、第１固有情報取得部２ｂは、受信結果（決済情報及び端末識別番号）を固有情報紐付部２ｃに出力する。
【００１４】
固有情報紐付部２ｃは、チケットデータベース２ａが記憶しているチケットＩＤのうちの、移動通信端末４から申し込みがされた電子チケットのチケットＩＤと同一のチケットＩＤに、第１固有情報取得部２ｂで取得した固有情報（端末識別番号）を紐付けてチケットデータベース２ａに記憶させる。具体的には、固有情報紐付部２ｃは、第１固有情報取得部２ｂが出力した決済情報を用いて決済処理を行い、申し込みがされた電子チケットの売買を完了する。
続いて、固有情報紐付部２ｃは、チケットデータベース２ａから、申し込まれた電子チケット、つまり、第１固有情報取得部２ｂで取得したチケット取得指示が表す電子チケットのチケットＩＤと同一のチケットＩＤが設定されているレコードを抽出する。続いて、固有情報紐付部２ｃは、抽出したレコードのフィールド「端末識別番号」に、第１固有情報取得部２ｂが出力した端末識別番号をフィールド値として記憶させる。
【００１５】
管理フラグ設定部２ｄは、固有情報紐付部２ｃで固有情報（端末識別番号）が紐付けられたチケットＩＤに、電子チケットが申し込まれたことを表す管理フラグを設定する。具体的には、管理フラグ設定部２ｄは、固有情報紐付部２ｃが端末識別番号を記憶させた際に、端末識別番号を記憶させたレコードのフィールド「使用管理フラグ」のフィールド値を「ＯＮ」にする。続いて、管理フラグ設定部２ｄは、上記レコードのフィールド「ＩＣカード有効フラグ」のフィールド値を「ＯＦＦ」にする。続いて、管理フラグ設定部２ｄは、通信路（携帯電話通信網等）を介して、上記レコードのチケットＩＤ、及びイベントの説明文を含むチケット情報を、決済情報及び端末識別番号の送信元の移動通信端末４に送信する。
【００１６】
第１固有ＩＤ取得部２ｅは、移動通信端末４から、ＩＣカード５の固有ＩＤ（ＩＣカード識別情報）及び移動通信端末４の固有情報（端末識別番号）を取得する。具体的には、第１固有ＩＤ取得部２ｅは、移動通信端末４からチケット情報送信指示を受信する。そして、第１固有情報取得部２ｂは、チケット情報送信指示を受信したと判定した場合、チケット情報送信指示の送信元の移動通信端末４から申し込まれた電子チケット、つまり、購入された電子チケットのチケット情報を、チケット情報送信指示の送信元の移動通信端末４に通信路（携帯電話通信網等）を介して送信する。これにより、移動通信端末４は、送信されたチケット情報の表示等を行うとともに、ＩＣカード識別情報及び自装置の端末識別番号をサーバ装置２に送信する。
続いて、第１固有ＩＤ取得部２ｅは、通信路（携帯電話通信網等）を介して、移動通信端末４から送信されたＩＣカード識別情報及び端末識別番号を受信する。そして、第１固有ＩＤ取得部２ｅは、受信結果（ＩＣカード識別情報及び端末識別番号）を固有ＩＤ紐付部２ｆに出力する。
【００１７】
固有ＩＤ紐付部２ｆは、チケットデータベース２ａが記憶しているチケットＩＤのうちの、第１固有ＩＤ取得部２ｅで取得した固有情報（端末識別番号）と同一の固有情報（端末識別番号）が紐付けられているチケットＩＤに、第１固有ＩＤ取得部２ｅで取得した固有ＩＤ（ＩＣカード識別情報）を紐付けてチケットデータベース２ａに記憶させる。具体的には、固有ＩＤ紐付部２ｆは、チケットデータベース２ａから、第１固有ＩＤ取得部２ｅが出力した端末識別番号が設定されているレコードを抽出する。続いて、抽出したレコードのフィールド「ＩＣカード識別情報」に、第１固有ＩＤ取得部２ｅが出力したＩＣカード識別情報をフィールド値として記憶させる。
【００１８】
固有ＩＤフラグ設定部２ｇは、固有ＩＤ紐付部２ｆで固有ＩＤ（ＩＣカード識別情報）が紐付けられたチケットＩＤに、ＩＣカード５の固有ＩＤ（ＩＣカード識別情報）が紐付けられたことを表す固有ＩＤフラグを設定する。具体的には、固有ＩＤフラグ設定部２ｇは、固有ＩＤ紐付部２ｆがＩＣカード識別情報を記憶させた際に、ＩＣカード識別情報を記憶させたレコードのフィールド「ＩＣカード有効フラグ」のフィールド値を「ＯＮ」にする。続いて、固有ＩＤフラグ設定部２ｇは、紐付の完了を表す完了通知をＩＣカード識別情報の送信元の移動通信端末４に送信する。
【００１９】
第２固有情報取得部２ｈは、モギリ端末３から、モギリ端末３が移動通信端末４から取得した固有情報（端末識別番号）を取得する。具体的には、第２固有情報取得部２ｈは、通信路（有線経路等）を介して、モギリ端末３から端末識別番号及びイベントコードを受信する。そして、第２固有情報取得部２ｈは、端末識別番号を受信したと判定した場合には、受信結果（端末識別番号及びイベントコード）を固有情報判定部２ｊに出力する。
【００２０】
第２固有ＩＤ取得部２ｉは、モギリ端末３から、モギリ端末３がＩＣカード５から取得した固有ＩＤ（ＩＣカード識別情報）を取得する。具体的には、第２固有情報取得部２ｈは、通信路を介して、モギリ端末３からＩＣカード識別情報及びイベントコードを受信する。そして、第２固有情報取得部２ｈは、ＩＣカード識別情報を受信したと判定した場合には、受信結果（ＩＣカード識別情報及びイベントコード）を固有情報判定部２ｊに出力する。
【００２１】
固有情報判定部２ｊは、チケットデータベース２ａが記憶している固有情報（端末識別番号）のうちに、第２固有情報取得部２ｈで取得した固有情報（端末識別番号）と同一の固有情報（端末識別番号）があるかを判定する。具体的には、固有情報判定部２ｊは、チケットデータベース２ａが記憶しているレコードのうちに、第２固有情報取得部２ｈが出力した端末識別番号及びイベントコードと同一の端末識別番号及びイベントコードが設定されているレコードがあるかを判定する（以下、「第１判定」とも呼ぶ）。そして、固有情報判定部２ｊは、判定結果（レコードの有無）をチケット有無判定部２ｋに出力する。
【００２２】
その際、固有情報判定部２ｊは、チケットデータベース２ａが記憶しているチケットＩＤのうちの、第２固有情報取得部２ｈで取得された固有情報（端末識別番号）と同一の固有情報（端末識別番号）が紐付けられているチケットＩＤに、使用管理フラグが設定されているかを判定する。具体的には、固有情報判定部２ｊは、上記端末識別番号及びイベントコードが設定されているレコードがあると判定した場合、そのレコードを抽出する。続いて、固有情報判定部２ｊは、抽出したレコードのフィールド「使用管理フラグ」のフィールド値が「ＯＮ」であるかを判定する（以下、「第２判定」とも呼ぶ）。そして、固有情報判定部２ｊは、判定結果をチケット有無判定部２ｋ及び判定結果送信部２ｌに出力する。これにより、チケットＩＤへの端末識別番号の紐付けの有無をより確実に確認できる。
【００２３】
同時に、固有情報判定部２ｊは、チケットデータベース２ａが記憶しているチケットＩＤのうち、第２固有情報取得部２ｈで取得した固有情報（端末識別番号）と同一の固有情報（端末識別番号）に紐付けられているチケットＩＤに、固有ＩＤフラグが設定されているかを判定する。具体的には、固有情報判定部２ｊは、上記抽出したレコードのフィールド「ＩＣカード有効フラグ」のフィールド値が「ＯＮ」であるかを判定する（以下、「第３判定」とも呼ぶ）。そして、固有情報判定部２ｊは、判定結果をチケット有無判定部２ｋ及び判定結果送信部２ｌに出力する。
【００２４】
一方、固有情報判定部２ｊは、第２固有情報取得部２ｈで固有ＩＤ（ＩＣカード識別情報）を取得したと判定した場合には、チケットデータベース２ａが記憶している固有ＩＤ（ＩＣカード識別情報）のうちに、取得した固有ＩＤ（ＩＣカード識別情報）と同一の固有ＩＤ（ＩＣカード識別情報）があるかを判定する。具体的には、固有情報判定部２ｊは、第２固有情報取得部２ｈがＩＣカード識別情報及びイベントコードを出力したと判定した場合、チケットデータベース２ａが記憶しているレコードのうちに、そのＩＣカード識別情報及びイベントコードと同一のＩＣカード識別情報及びイベントコードが設定されているレコードがあるかを判定する（以下、「第４判定」とも呼ぶ）。そして、固有情報判定部２ｊは、判定結果（レコードの有無）をチケット有無判定部２ｋに出力する。
【００２５】
その際、固有情報判定部２ｊは、上記ＩＣカード識別情報及びイベントコードが設定されているレコードがあると判定した場合、そのレコードを抽出する。続いて、固有情報判定部２ｊは、抽出したレコードのフィールド「使用管理フラグ」のフィールド値が「ＯＮ」であるかを判定する（以下、「第５判定」とも呼ぶ）。また、固有情報判定部２ｊは、抽出したレコードのフィールド「ＩＣカード有効フラグ」のフィールド値が「ＯＮ」であるかを判定する（以下、「第６判定」とも呼ぶ）。そして、固有情報判定部２ｊは、これらの判定結果をチケット有無判定部２ｋ及び判定結果送信部２ｌに出力する。
【００２６】
チケット有無判定部２ｋは、固有情報判定部２ｊによる判定結果を用いて、モギリ端末３で固有情報（端末識別番号）を取得した移動通信端末４の所持者が電子チケットを有しているかを判定する。具体的には、判定結果送信部２ｌは、モギリ端末３で移動通信端末４の端末識別番号を取得した場合、つまり、固有情報判定部２ｊが第１判定〜第３判定の判定結果を出力したと判定した場合、第１判定の判定結果が「レコード有り」、第２判定の判定結果が「ＯＮ」、第３判定の判定結果が「ＯＦＦ」の条件を満たすかを判定する。
そして、判定結果送信部２ｌは、これらの条件をすべて満たしていると判定した場合には、モギリ端末３が端末識別番号を取得した移動通信端末４の所持者が電子チケットを有していると判定する。一方、判定結果送信部２ｌは、これらの条件を１つでも満たしていないと判定した場合には、移動通信端末４の所持者が電子チケットを有していないと判定する。そして、チケット有無判定部２ｋは、判定結果を判定結果送信部２ｌに送信する。
このように、本実施形態では、第３判定の判定結果が「ＯＮ」の場合、つまりＩＣカード有効フラグが設定されていると判定した場合に、移動通信端末４の所持者が電子チケットを有していないと判定する。これにより、ＩＣカード５のＩＣカード識別情報をチケットＩＤに紐付け、ＩＣカード５をチケットとして使用できるようにした場合、電子チケットの申し込みを行った移動通信端末４をチケットとして使用できなくすることができる。
【００２７】
また一方、判定結果送信部２ｌは、固有情報判定部２ｊによる判定結果を用いて、モギリ端末３で固有ＩＤ（ＩＣカード識別情報）を取得したＩＣカード５の所持者が電子チケットを有しているかを判定する。具体的には、判定結果送信部２ｌは、モギリ端末３でＩＣカード５のＩＣカード識別情報を取得した場合、つまり、固有情報判定部２ｊが第４判定〜第６判定の判定結果を出力したと判定した場合、第４判定の判定結果が「レコード有り」、第５判定及び第６判定の判定結果が「ＯＮ」の条件を満たしているかを判定する。
そして、判定結果送信部２ｌは、これらの条件をすべて満たしていると判定した場合には、モギリ端末３がＩＣカード識別情報を取得したＩＣカード５の所持者が電子チケットを有していると判定する。一方、判定結果送信部２ｌは、これらの条件を１つでも満たしていないと判定した場合には、ＩＣカード５の所持者が電子チケットを有していないと判定する。そして、チケット有無判定部２ｋは判定結果を判定結果送信部２ｌに送信する。
【００２８】
判定結果送信部２ｌは、通信路（有線経路等）を介して、チケット有無判定部２ｋによる判定結果（電子チケット有無）をモギリ端末３に送信する。また、判定結果送信部２ｌは、固有情報判定部２ｊが出力した第１判定〜第６判定の判定結果に応じて、電子チケット有無の判定結果の検証用の信号をモギリ端末３に送信する。具体的には、判定結果送信部２ｌは、第１の判定結果が「レコード無し」である場合、第２判定の判定結果が「ＯＦＦ」である場合、第３判定の判定結果が「ＯＮ」である場合、第４判定の判定結果が「レコード無し」である場合、第５判定の判定結果が「ＯＦＦ」である場合、第６判定の判定結果が「ＯＦＦ」である場合のそれぞれの場合に、「ＮＧ」をモギリ端末３に送信する。
【００２９】
（モギリ端末３）
モギリ端末３は、イベントの開催場所に設置される端末装置である。例えば、パーソナルコンピュータを採用できる。モギリ端末３は、イベントコード記憶部３ａと、無線通信部３ｂと、有線通信部３ｃと、ディスプレイ３ｄと、演算制御部３ｅとを備える。
イベントコード記憶部３ａは、開催するイベントのイベントコードを記憶している。
無線通信部３ｂは、モギリ端末３から予め定められた所定距離（例えば、１０cm）内に存在する移動通信端末４またはＩＣカード５と近距離無線通信を行う。そして、無線通信部３ｂは、近距離無線通信を介して、演算制御部３ｅと移動通信端末４との間、または演算制御部３ｅとＩＣカード５との間で各種情報の送受信を可能としている。
有線通信部３ｃは、有線経路によってサーバ装置２と接続されており、有線経路を介して、演算制御部３ｅとサーバ装置２との間で各種情報の送受信を可能としている。
ディスプレイ３ｄは、演算制御部３ｅからの指示に従って、各種情報を表示する。
【００３０】
演算制御部３ｅは、所定時間（例えば、１０［秒］）毎に、無線通信部３ｂを用い近距離無線通信を介して、端末識別番号送信指示を移動通信端末４に送信する。続いて、演算制御部３ｅは、端末識別番号を受信したと判定した場合、受信した端末識別番号と、イベントコード記憶部３ａが記憶しているイベントコードとをサーバ装置２に送信する。
一方、演算制御部３ｅは、所定時間毎に、無線通信部３ｂを用い近距離無線通信を介して、ＩＣカード識別情報送信指示をＩＣカード５に送信する。続いて、演算制御部３ｅは、ＩＣカード識別情報を受信する。そして、ＩＣカード識別情報を受信したと判定した場合、有線通信部３ｃを用い有線経路を介して、受信したＩＣカード識別情報、及びイベントコード記憶部３ａが記憶しているイベントコードをサーバ装置２に送信する。
また、演算制御部３ｅは、有線通信部３ｃを用い有線経路を介して、サーバ装置２から電子チケット有無の判定結果及び各種信号等を取得する。そして、演算制御部３ｅは、各種判定結果等を取得した場合、取得した各種信号等を基に、電子チケット有無の判定結果の検証を行う。続いて、演算制御部３ｅは、検証結果を基に、移動通信端末４またはＩＣカード５の所持者が電子チケットを有しているかをディスプレイ３ｄに提示させる。
【００３１】
（移動通信端末４）
移動通信端末４は、電子チケットの購入者が所持し、電子チケットの申し込み等を行う端末装置である。例えば、携帯電話通信網によって通信可能なスマートフォンを採用できる。移動通信端末４は、固有情報記憶部４ａと、第１無線通信部４ｂと、第２無線通信部４ｃと、ディスプレイ４ｄと、移動通信端末本体４ｅと、演算制御部４ｆとを備える。
固有情報記憶部４ａは、移動通信端末４の固有情報を記憶している。固有情報としては、例えば、ＩＭＥＩ（International Mobile Equipment Identity）、ＵＩＭ（User Identity Module Card）のＩＣＣＩＤ（Integrated Circuit Card ID）を採用できる。
【００３２】
第１無線通信部４ｂは、携帯電話通信網等によってサーバ装置２と接続可能となっている。そして、第１無線通信部４ｂは、移動通信端末本体４ｅとサーバ装置２との間、または演算制御部４ｆとサーバ装置２との間で各種情報の送受信を可能としている。
第２無線通信部４ｃは、移動通信端末４から予め定められた所定距離（例えば、１０cm）内に存在するモギリ端末３またはＩＣカード５と近距離無線通信を行う。そして、第２無線通信部４ｃは、近距離無線通信を介して、演算制御部４ｆとモギリ端末３との間、または演算制御部４ｆとＩＣカード５との間で各種情報の送受信を可能としている。
【００３３】
ディスプレイ４ｄは、演算制御部４ｆからの指示に従って、各種情報を表示する。
移動通信端末本体４ｅは、演算制御部４ｆが出力する固有情報送信指示を取得する。そして、移動通信端末本体４ｅは、固有情報送信指示を取得したと判定した場合、固有情報記憶部４ａが記憶している固有情報及び決済情報を演算制御部４ｆに出力する。
また、移動通信端末本体４ｅは、演算制御部４ｆが出力するＩＣカード識別情報送信指示を取得する。そして、移動通信端末本体４ｅは、ＩＣカード識別情報送信部を取得したと判定した場合、第２無線通信部４ｃを用い近距離無線通信を介して、取得したＩＣカード識別情報送信部をＩＣカード５に送信する。また、移動通信端末本体４ｅは、モギリ端末３が出力する端末識別番号送信指示を取得する。そして、端末識別番号送信指示を取得したと判定した場合、取得した端末識別番号送信指示を演算制御部４ｆに送信する。
【００３４】
演算制御部４ｆは、アプリサーバ（不図示）からダウンロードされた専用アプリ４ｇを実行する。専用アプリ４ｇは、電子チケットの申し込み操作が行われたと判定すると、第１無線通信部４ｂを用い通信路（携帯電話通信網等）を介して、チケット取得指示をサーバ装置２に送信する。続いて、専用アプリ４ｇは、第２無線通信部４ｃを用い通信路（有線経路等）を介して、サーバ装置２から決済情報及び端末識別番号送信指示を取得する。
続いて、専用アプリ４ｇは、決済情報及び端末識別番号送信指示を取得したと判定した場合、固有情報送信指示を移動通信端末本体４ｅに出力する。続いて、専用アプリ４ｇは、移動通信端末本体４ｅから決済情報及び固有情報を取得する。続いて、専用アプリ４ｇは、固有情報を取得したと判定した場合、取得した固有情報を用いて端末識別番号を計算する。続いて、専用アプリ４ｇは、第１無線通信部４ｂを用い通信路（携帯電話通信網等）を介して、計算した端末識別番号、及び取得した決済情報をサーバ装置２に送信する。
続いて、専用アプリ４ｇは、第１無線通信部４ｂを用い通信路（携帯電話通信網等）を介して、サーバ装置２から、申し込んだ電子チケットのチケット情報（チケットＩＤ、イベントの内容の説明文）を取得する。続いて、専用アプリ４ｇは、取得したチケット情報及び電子チケットの申し込み完了を表すメッセージをディスプレイ４ｄに提示させる。
【００３５】
一方、専用アプリ４ｇは、ＩＣカード５と電子チケットとの紐付けを開始させる操作が行われたと判定すると、第１無線通信部４ｂを用い通信路（携帯電話通信網等）を介して、チケット情報送信指示をサーバ装置２に送信する。続いて、専用アプリ４ｇは、第１無線通信部４ｂを用い通信路（携帯電話通信網等）を介して、サーバ装置２からチケット情報を取得する。続いて、専用アプリ４ｇは、取得したチケット情報、及びＩＣカード５を移動通信端末４にかざすことを促すメッセージをディスプレイ４ｄに提示させる。続いて、専用アプリ４ｇは、ＩＣカード識別情報送信指示を移動通信端末本体４ｅに出力する。
【００３６】
続いて、専用アプリ４ｇは、移動通信端末本体４ｅからＩＣカード識別情報を取得する。続いて、専用アプリ４ｇは、ＩＣカード識別情報を取得したと判定した場合、固有情報送信指示を移動通信端末本体４ｅに出力する。続いて、専用アプリ４ｇは、移動通信端末本体４ｅから固有情報を取得する。続いて、専用アプリ４ｇは、固有情報を取得したと判定した場合、取得した固有情報を用いて移動通信端末４の端末識別番号を計算する。
続いて、専用アプリ４ｇは、第１無線通信部４ｂを用い通信路（携帯電話通信網等）を介して、計算した端末識別番号及び取得したＩＣカード識別情報をサーバ装置２に送信する。続いて、専用アプリ４ｇは、第１無線通信部４ｂを用い通信路（携帯電話通信網等）を介して、サーバ装置２から完了通知を取得する。続いて、専用アプリ４ｇは、ＩＣカード５と電子チケットとの紐付け完了を表すメッセージをディスプレイ４ｄに提示させる。
【００３７】
また一方、専用アプリ４ｇは、移動通信端末本体４ｅから端末識別番号送信指示が出力されると、出力された端末識別番号送信指示を取得し、固有情報送信指示を移動通信端末本体４ｅに出力する。続いて、専用アプリ４ｇは、移動通信端末本体４ｅから固有情報を取得する。続いて、専用アプリ４ｇは、固有情報を取得したと判定した場合、取得した固有情報を用いて端末識別番号を計算する。続いて、専用アプリ４ｇは、第２無線通信部４ｃを用い近距離無線通信を介して、計算した端末識別番号をモギリ端末３に送信する。
【００３８】
（ＩＣカード５）
ＩＣカード５は、電子チケットの購入者等が所持するカードである。例えば、予め定められた固有ＩＤを有し近距離無線を行う非接触式ＩＣカードを採用できる。ＩＣカード５は、ＩＤ記憶部５ａと、無線通信部５ｂと、演算制御部５ｃとを備える。
ＩＤ記憶部５ａは、ＩＣカード５の固有ＩＤを記憶している。
無線通信部５ｂは、ＩＣカード５から予め定められた所定距離（例えば、１０cm）内に存在するモギリ端末３または移動通信端末４と近距離無線通信を行う。そして、無線通信部５ｂは、近距離無線通信を介して、演算制御部５ｃとモギリ端末３との間、または演算制御部５ｃと移動通信端末４との間で各種情報の送受信を可能としている。
演算制御部５ｃは、無線通信部５ｂを用い近距離無線通信を介して、モギリ端末３または移動通信端末４からＩＣカード識別情報送信指示を受信する。続いて、演算制御部５ｃは、ＩＣカード識別情報送信指示を受信したと判定した場合、ＩＤ記憶部５ａが記憶している固有ＩＤを用いてＩＣカード識別情報を計算する。続いて、演算制御部５ｃは、無線通信部５ｂを用い近距離無線通信を介して、算出したＩＣカード識別情報を、ＩＣカード識別情報送信指示の送信元の移動通信端末４またはモギリ端末３に送信する。
【００３９】
（動作その他）
次に、本実施形態の電子チケットシステム１の動作を説明する。
まず、移動通信端末４による電子チケットの申し込み時の動作について説明する。
まず、購入者が移動通信端末４を操作し、図４（ａ）に示すように、電子チケットの申し込み操作を行ったとする。すると、移動通信端末４（専用アプリ４ｇ）が、通信路（携帯電話通信網等）を介して、チケット取得指示をサーバ装置２に送信する（図３のステップＳ１０１）。続いて、サーバ装置２（第１固有情報取得部２ｂ）が、通信路（携帯電話通信網等）を介して、チケット取得指示を受信し、決済情報及び端末識別番号の送信指示をチケット取得指示の送信元の移動通信端末４に送信する（図３のステップＳ１０２）。
【００４０】
続いて、移動通信端末４（専用アプリ４ｇ）が、送信された決済情報及び端末識別番号送信指示を取得し、固有情報送信指示を移動通信端末本体４ｅに出力する（図３のステップＳ１０３）。続いて、移動通信端末４（移動通信端末本体４ｅ）が、移動通信端末４の固有情報及び決済情報を専用アプリ４ｇに出力する（図３のステップＳ１０４）。続いて、移動通信端末４（専用アプリ４ｇ）が、出力された固有情報及び決済情報を取得し、固有情報を用いて端末識別番号を計算する（図３のステップＳ１０５）。続いて、移動通信端末４（専用アプリ４ｇ）が、通信路（携帯電話通信網等）を介して、計算した端末識別番号、及び取得した決済情報をサーバ装置２に送信する（図３のステップＳ１０６）。
【００４１】
続いて、サーバ装置２（固有情報紐付部２ｃ）が、送信された決済情報を用いて決済処理を行い、申し込みがされた電子チケットの売買を完了する。続いて、サーバ装置２（固有情報紐付部２ｃ）が、図５に示すように、チケットデータベース２ａから、申し込まれた電子チケット、つまり、取得したチケット取得指示が表す電子チケットのチケットＩＤと同一のチケットＩＤが設定されているレコードを抽出し、抽出したレコードのフィールド「端末識別番号」に、送信された端末識別番号をフィールド値として記憶させる（図３のステップＳ１０７）。また、サーバ装置２（管理フラグ設定部２ｄ）が、同レコードのフィールド「使用管理フラグ」のフィールド値を「ＯＮ」、フィールド「ＩＣカード有効フラグ」のフィールド値を「ＯＦＦ」にする（図３のステップＳ１０７）。
【００４２】
続いて、サーバ装置２（管理フラグ設定部２ｄ）が、通信路（携帯電話通信網）を介して、抽出したレコードのチケットＩＤ及びイベントの説明文を含むチケット情報を決済情報及び端末識別番号の送信元の移動通信端末４に送信する（図３のステップＳ１０８）。続いて、移動通信端末４（専用アプリ４ｇ）が、送信されたチケット情報を取得し、図４（ｂ）に示すように、取得したチケット情報及び電子チケットの申し込み完了を表すメッセージをディスプレイ４ｄに提示させる（図３のステップＳ１０９）。なお、図４（ｂ）の例では、チケットＩＤも提示されているが、チケットＩＤの提示は省略してもよい。
【００４３】
次に、移動通信端末４をチケットとして使用するときの動作について説明する。
上記フローで電子チケットの申し込みを完了した後、イベント会場で、図７（ａ）に示すように購入者が移動通信端末４をモギリ端末３の無線通信部３ｂにかざし、移動通信端末４がモギリ端末３（無線通信部３ｂ）の通信範囲内にはいったとする。すると、モギリ端末３が、近距離無線通信を介して、端末識別番号送信指示を移動通信端末４に送信する（図６のステップＳ２０１）。続いて、移動通信端末４（移動通信端末本体４ｅ）が、送信された端末識別番号送信指示を専用アプリ４ｇに送信する（図６のステップＳ２０２）。続いて、移動通信端末４（専用アプリ４ｇ）が、送信された端末識別番号送信指示を取得し固有情報送信指示を移動通信端末本体４ｅに出力する（図６のステップＳ２０３）。
続いて、移動通信端末４（移動通信端末本体４ｅ）が、移動通信端末４の固有情報を専用アプリ４ｇに出力する（図６のステップＳ２０４）。続いて、移動通信端末４（専用アプリ４ｇ）が、出力された固有情報を用いて端末識別番号を計算する（図６のステップＳ２０５）。続いて、移動通信端末４（専用アプリ４ｇ）が、近距離無線通信を介して、計算した端末識別番号をモギリ端末３に送信する（図６のステップＳ２０６）。
【００４４】
続いて、モギリ端末３が、通信路（有線経路等）を介して、送信された端末識別番号、及び記憶しているイベントコードをサーバ装置２に送信する（図６のステップＳ２０７）。続いて、サーバ装置２（固有情報判定部２ｊ）が、図８（ａ）に示すように、チケットデータベース２ａが記憶しているレコードのうちに、送信された端末識別番号及びイベントコードと同一の端末識別番号及びイベントコードが設定されているレコードがあると判定する（図６のステップＳ２０８）。続いて、図８（ｂ）に示すように、そのレコードを抽出し、抽出したレコードのフィールド「使用管理フラグ」のフィールド値が「ＯＮ」であると判定する（図６のステップＳ２０９）。続いて、サーバ装置２（固有情報判定部２ｊ）が、図８（ｃ）に示すように、抽出したレコードのフィールド「ＩＣカード有効フラグ」のフィールド値が「ＯＦＦ」であると判定する（図６のステップＳ２１０）。
続いて、サーバ装置２（チケット有無判定部２ｋ）が、これらの判定結果を用いて電子チケット有無の判定を行い、移動通信端末４の所持者がイベントの電子チケットを有していると判定する。続いて、サーバ装置２（判定結果送信部２ｌ）が、判定結果をモギリ端末３に送信する（図６のステップＳ２１１）。続いて、モギリ端末３が、図７（ｂ）に示すように、送信された判定結果の検証を行い、移動通信端末４の所持者が電子チケットを有しているかをディスプレイ３ｄに提示（表示）させる（図６のステップＳ２１２）。
【００４５】
このように、本実施形態では、電子チケットの申し込み時に、電子チケットのチケットＩＤに、移動通信端末４の端末識別番号（固有情報）を紐付けて記憶する。そして、電子チケットの使用時に、移動通信端末４から端末識別番号を取得し、取得した端末識別番号に紐付けられているチケットＩＤがあるかを判定する。それゆえ、移動通信端末４をチケットとして使用できる。そのため、電子チケットの不正な複製を防止でき、また、コストを低減することができる。これにより、より適切な電子チケットシステムを実現できる。
【００４６】
ちなみに、例えば、２次元バーコードの画像のＵＲＬを送信し、送信されたＵＲＬに移動通信端末４でアクセスすることで、移動通信端末４をチケットとして使用する方法では、ＵＲＬが不正にコピーされ、電子チケットが不正に複製されてしまう可能性がある。
また、例えば、暗号化鍵で暗号化した電子チケットを移動通信端末４に送信し、送信された電子チケットを移動通信端末４のセキュアエレメントに格納された復号化鍵で複合することで、移動通信端末４をチケットとして使用する方法では、ＳＩＭや組み込みチップ等をセキュアエレメントとして用いる必要があるため、コストが増大する可能性がある。
【００４７】
次に、ＩＣカード５と電子チケットとを紐付けさせる動作について説明する。
上記フローで電子チケットの申し込みを完了した後、購入者が移動通信端末４を操作し、図１０（ａ）に示すように、購入者がＩＣカード５と電子チケットとの紐付けを開始させる操作を行ったとする。すると、移動通信端末４（専用アプリ４ｇ）が、通信路（有線経路等）を介して、チケット情報送信指示をサーバ装置２に送信する（図９のステップＳ３０１）。続いて、サーバ装置２（第１固有ＩＤ取得部２ｅ）が、送信されたチケット情報送信指示を受信し、チケット情報送信指示の送信元の移動通信端末４から申し込まれた（購入された）電子チケットのチケット情報を、チケット情報送信指示の送信元の移動通信端末４に通信路（携帯電話通信網等）を介して送信する（図９のステップＳ３０２）。
【００４８】
続いて、移動通信端末４（専用アプリ４ｇ）が、送信されたチケット情報を取得し、図１０（ｂ）に示すように、チケット情報、及びＩＣカード５を移動通信端末４にかざすことを促すメッセージをディスプレイ４ｄに提示させる（図９のステップＳ３０３）。
ここで、メッセージを見た購入者がＩＣカード５を移動通信端末４にかざし、ＩＣカード５が移動通信端末４の所定距離（１０cm）内にはいったとする。すると、移動通信端末４（専用アプリ４ｇ）が、近距離無線通信を介して、ＩＣカード識別情報送信指示を移動通信端末本体４ｅ経由でＩＣカード５に送信する（図９のステップＳ３０４）。続いて、ＩＣカード５が、ＩＣカード識別情報送信指示を受信し、ＩＤ記憶部５ａが記憶している固有ＩＤを用いてＩＣカード識別情報を計算する（図９のステップＳ３０５）。続いて、ＩＣカード５が、近距離無線通信を介して、算出したＩＣカード識別情報を、ＩＣカード識別情報送信指示の送信元の移動通信端末４に送信する（図９のステップＳ３０６）。
【００４９】
続いて、移動通信端末４（専用アプリ４ｇ）が、固有情報送信指示を移動通信端末本体４ｅに出力する（図９のステップＳ３０７）。続いて、移動通信端末４（移動通信端末本体４ｅ）が、移動通信端末４の固有情報を専用アプリ４ｇに出力する（図９のステップＳ３０８）。続いて、移動通信端末４（専用アプリ４ｇ）が、出力された固有情報を用いて端末識別番号を計算する（図９のステップＳ３０９）。続いて、移動通信端末４（専用アプリ４ｇ）が、通信路（携帯電話通信網等）を介して、計算した端末識別番号、及び送信されたＩＣカード識別情報をサーバ装置２に送信する（図９のステップＳ３１０）。
【００５０】
続いて、サーバ装置２（固有ＩＤ紐付部２ｆ）が、図１１に示すように、チケットデータベース２ａから、送信された端末識別番号が設定されているレコードを抽出し、抽出したレコードのフィールド「ＩＣカード識別情報」に第１固有ＩＤ取得部２ｅが出力したＩＣカード識別情報（ＩＣカード５の固有ＩＤ）をフィールド値として記憶させる。続いて、サーバ装置２（固有ＩＤフラグ設定部２ｇ）が、抽出したレコードのフィールド「ＩＣカード有効フラグ」のフィールド値を「ＯＮ」にする（図９のステップＳ３１１）。
続いて、サーバ装置２（固有ＩＤフラグ設定部２ｇ）が、完了通知を、ＩＣカード識別情報及び端末識別番号の送信元の移動通信端末４に送信する（図９のステップＳ３１２）。続いて、移動通信端末４（専用アプリ４ｇ）が、図１０（ｃ）に示すように、ＩＣカード５と電子チケットとの紐付けが完了を表すメッセージをディスプレイ４ｄに提示させる（図９のステップＳ３１３）。
【００５１】
次に、ＩＣカード５をチケットとして使用するときの動作について説明する。
上記フローでＩＣカード５と電子チケットとを紐付けた後、イベント会場で、図１３（ａ）に示すように、利用者がＩＣカード５をモギリ端末３の無線通信部３ｂにかざし、ＩＣカード５がモギリ端末３（無線通信部３ｂ）の通信範囲内にはいったとする。すると、モギリ端末３が、近距離無線通信を介して、ＩＣカード識別情報送信指示をＩＣカード５に送信する（図１２のステップＳ４０１）。続いて、ＩＣカード５（演算制御部５ｃ）が、ＩＣカード５の固有ＩＤを用いてＩＣカード識別情報を計算する（図１２のステップＳ４０２）。続いて、ＩＣカード５（演算制御部５ｃ）が、近距離無線通信を介して、算出したＩＣカード識別情報をモギリ端末３に送信する（図１２のステップＳ４０３）。
【００５２】
続いて、モギリ端末３が、通信路（有線経路等）を介して、送信されたＩＣカード識別情報及びイベントコードをサーバ装置２に送信する（図１２のステップＳ４０４）。続いて、サーバ装置２（固有情報判定部２ｊ）が、図１４（ａ）に示すように、チケットデータベース２ａが記憶しているレコードのうちに、送信された端末識別番号及びイベントコードと同一の端末識別番号及びイベントコードが設定されているレコードがあると判定する（図１２のステップＳ４０５）。続いて、図１４（ｂ）に示すように、そのレコードを抽出し、抽出したレコードのフィールド「使用管理フラグ」のフィールド値が「ＯＮ」であると判定する（図１２のステップＳ４０６）。続いて、サーバ装置２（固有情報判定部２ｊ）が、図１４（ｃ）に示すように、抽出したレコードのフィールド「ＩＣカード有効フラグ」のフィールド値が「ＯＮ」であると判定する（図１２のステップＳ４０７）。
続いて、サーバ装置２（チケット有無判定部２ｋ）が、これらの判定結果を用いて電子チケット有無の判定を行い、ＩＣカード５の所持者がイベントの電子チケットを有していると判定する。続いて、サーバ装置２（判定結果送信部２ｌ）が、判定結果をモギリ端末３に送信する（図１２のステップＳ４０８）。続いて、モギリ端末３が、図１３（ｂ）に示すように送信された判定結果の検証を行い、移動通信端末４の所持者が電子チケットを有しているかをディスプレイ３ｄに提示（表示）させる（図１２のステップＳ４０９）。
【００５３】
このように、本実施形態では、電子チケットを申し込んだ後に、電子チケットのチケットＩＤに、ＩＣカード５のＩＣカード識別情報（固有ＩＤ）を紐付けて記憶させる。そして、電子チケットの使用時に、ＩＣカード５からＩＣカード識別情報を取得し、取得したＩＣカード識別情報に紐付けられているチケットＩＤがあるかを判定する。それゆえ、ＩＣカード５をチケットとして使用できる。そのため、電子チケットを利用者が望む形態（移動通信端末４またはＩＣカード５）で利用でき、利便性を向上することができる。
また、移動通信端末４が通信不能な場所でも、電子チケットを使用できる。さらに、チケットデータベース２ａを参照することで、電子チケットの所有権の履歴のトレーサビリティが容易となるため、転売等の不正を行い難くなる。また、転売を頻繁に行っている利用者の特定も可能となる。これにより、より適切な電子チケットシステムを実現できる。
【００５４】
ちなみに、例えば、暗号化鍵で暗号化した電子チケットを送信し、送信された電子チケットを移動通信端末４のセキュアエレメントに格納された復号化鍵で複合することで、移動通信端末４をチケットとして使用する方法では、チケットを他人に譲渡する場合、購入者の移動通信端末４から電子チケットを削除し、サーバ装置２で譲渡手続きを行い、譲渡先の移動通信端末４に復号化鍵を格納した後、サーバ装置２から暗号化した電子チケットを送信するといった煩雑な作業が必要となるため、電子チケットの使い勝手が悪くなる。
【００５５】
（本実施形態の効果）
本実施形態に係る発明は、以下の効果を奏する。
（１）本実施形態に係るサーバ装置２は、移動通信端末４からの電子チケットの申し込みを受け付けるサーバ装置２である。そして、サーバ装置２は、複数の電子チケットのチケットＩＤを記憶しているチケットデータベース２ａと、申し込みに用いられた移動通信端末４から、その移動通信端末４の固有情報（端末識別番号）を取得する第１固有情報取得部２ｂと、チケットデータベース２ａが記憶しているチケットＩＤのうちの、申し込みがされた電子チケットのチケットＩＤと同一のチケットＩＤに、第１固有情報取得部２ｂで取得した端末識別番号を紐付けてチケットデータベース２ａに記憶させる固有情報紐付部２ｃとを備える。また、サーバ装置２は、移動通信端末４から端末識別番号を取得するモギリ端末３から、そのモギリ端末３が移動通信端末４から取得した固有情報を取得する第２固有情報取得部２ｈと、チケットデータベース２ａが記憶している端末識別番号のうちに、第２固有情報取得部２ｈで取得した端末識別番号と同一の端末識別番号があるかを判定する固有情報判定部２ｊと、固有情報判定部２ｊによる判定結果を用いて、モギリ端末３が端末識別番号を取得した移動通信端末４の所持者が電子チケットを有しているかを判定するチケット有無判定部２ｋと、チケット有無判定部２ｋによる判定結果をモギリ端末３に送信する判定結果送信部２ｌとを備える。
このような構成によれば、移動通信端末４の固有情報（端末識別番号）を用いることで、移動通信端末４をチケットとして使用できる。それゆえ、より適切な電子チケットシステムを実現できる。
【００５６】
（２）本実施形態に係るサーバ装置２は、固有情報紐付部２ｃで固有情報が紐付けられたチケットＩＤに、電子チケットが申し込まれたことを表す使用管理フラグ（管理フラグ）を設定する管理フラグ設定部２ｄを更に備える。そして、固有情報判定部２ｊは、チケットデータベース２ａが記憶しているチケットＩＤのうちの、第２固有情報取得部２ｈで取得された端末識別番号と同一の端末識別番号が紐付けられているチケットＩＤに、使用管理フラグ（管理フラグ）が設定されているかを判定する。
このような構成によれば、端末識別番号の紐付けの有無をより確実に確認できる。
【００５７】
（３）本実施形態に係るサーバ装置２は、移動通信端末４から、その移動通信端末４の端末識別番号、及び固有ＩＤを有するＩＣカード５のその固有ＩＤ（ＩＣカード識別情報）を取得する第１固有ＩＤ取得部２ｅと、チケットデータベース２ａが記憶しているチケットＩＤのうちの、第１固有ＩＤ取得部２ｅで取得した端末識別番号と同一の端末識別番号が紐付けられているチケットＩＤに、第１固有ＩＤ取得部２ｅで取得したＩＣカード識別情報を紐付けてチケットデータベース２ａに記憶させる固有ＩＤ紐付部２ｆと、モギリ端末３から、そのモギリ端末３がＩＣカード５から取得したＩＣカード識別情報を取得する第２固有ＩＤ取得部２ｉとを更に備える。そして、固有情報判定部２ｊは、第２固有ＩＤ取得部２ｉでＩＣカード識別情報を取得したと判定した場合、チケットデータベース２ａが記憶しているＩＣカード識別情報のうちに、取得したＩＣカード識別情報と同一のＩＣカード識別情報があるかを判定する。また、チケット有無判定部２ｋは、固有情報判定部２ｊによる判定結果を用いて、モギリ端末３がＩＣカード識別情報を取得したＩＣカード５の所持者が電子チケットを有しているかを判定する。
このような構成によれば、ＩＣカード５をチケットとして使用することができる。
【００５８】
（４）本実施形態に係るサーバ装置２は、固有ＩＤ紐付部２ｆで固有ＩＤ（ＩＣカード識別情報）が紐付けられたチケットＩＤに、ＩＣカード５のＩＣカード識別情報が紐付けられたことを表す固有ＩＤフラグを設定する固有ＩＤフラグ設定部２ｇを更に備える。そして、固有情報判定部２ｊは、チケットデータベース２ａが記憶しているチケットＩＤのうち、モギリ端末３から送信された端末識別番号と同一の端末識別番号が紐付けられているチケットＩＤに、固有ＩＤフラグが設定されているかを判定し、チケット有無判定部２ｋは、固有情報判定部２ｊでＩＣカード有効フラグが設定されていると判定した場合に、モギリ端末３が端末識別番号を取得した移動通信端末４の所持者が電子チケットを有していないと判定する。
このような構成によれば、ＩＣカード５の固有ＩＤ（ＩＣカード識別情報）をチケットＩＤに紐付け、ＩＣカード５をチケットとして使用できるようにした場合、電子チケットの申し込みを行った移動通信端末４をチケットとして使用できなくすることができる。
【００５９】
（５）本実施形態に係るサーバ装置２は、ＩＣカード５は、近距離無線通信を行う非接触式ＩＣカードである。
このような構成によれば、既存のＩＣカードをチケットとして利用できる。
【００６０】
（６）本実施形態に係る電子チケットシステム１は、移動通信端末４からの電子チケットの申し込みを受け付けるサーバ装置２と、移動通信端末４から端末識別番号を取得するモギリ端末３とを備える。そして、サーバ装置２は、複数の電子チケットのチケットＩＤを記憶しているチケットデータベース２ａと、申し込みに用いられた移動通信端末４から、その移動通信端末４の端末識別番号を取得する第１固有情報取得部２ｂと、チケットデータベース２ａが記憶しているチケットＩＤのうちの、申し込みがされた電子チケットのチケットＩＤと同一のチケットＩＤに、第１固有情報取得部２ｂで取得した端末識別番号を紐付けてチケットデータベース２ａに記憶させる固有情報紐付部２ｃとを備える。また、サーバ装置２は、モギリ端末３から、そのモギリ端末３が移動通信端末４から取得した端末識別番号を取得する第２固有情報取得部２ｈと、チケットデータベース２ａが記憶している端末識別番号のうちに、第２固有情報取得部２ｈで取得した端末識別番号と同一の端末識別番号があるかを判定する固有情報判定部２ｊと、固有情報判定部２ｊによる判定結果を用いて、モギリ端末３が端末識別番号を取得した移動通信端末４の所持者が電子チケットを有しているかを判定するチケット有無判定部２ｋと、チケット有無判定部２ｋによる判定結果をモギリ端末３に送信する判定結果送信部２ｌとを備える。また、モギリ端末３は、サーバ装置２から送信された判定結果を提示する。
このような構成によれば、移動通信端末４の固有情報（端末識別番号）を用いることで、移動通信端末４をチケットとして使用できる。それゆえ、より適切な電子チケットシステムを実現できる。
【００６１】
（変形例）
（１）なお、本実施形態では、移動通信端末４のみから電子チケットの申し込みを可能とする例を示したが、他の構成を採用することもできる。例えば、図１５に示すように、移動通信端末４とは別に設けられた申込用端末６からも電子チケットの申し込みを可能とする構成としてもよい。申込用端末６としては、例えば、コンビニ等に設置されるキオスク端末、パーソナルコンピュータを採用できる。この場合、申込用端末６は、電子チケットの申し込みに加え、ＩＣカード５の固有ＩＤ（ＩＣカード識別情報）を取得可能なものとする。また、サーバ装置２は、申込用端末６から送信される固有ＩＤ（ＩＣカード識別情報）を取得する第３固有ＩＤ取得部２ｍと、チケットデータベース２ａが記憶しているチケットＩＤのうちの、申込用端末６から申し込みがされた電子チケットのチケットＩＤに、第３固有ＩＤ取得部２ｍで取得した固有ＩＤを紐付けてチケットデータベース２ａに記憶させる物体ＩＤ紐付部２ｎとを備えるものとする。そして、固有ＩＤ紐付部２ｆは、チケットデータベース２ａが記憶しているチケットＩＤのうちの、申込用端末６から申し込みがされた電子チケットのチケットＩＤに、第３固有ＩＤ取得部２ｍで取得した固有ＩＤ（ＩＣカード識別情報）を紐付けてチケットデータベース２ａに記憶させるものとする。
【００６２】
本変形例の申込用端末６による電子チケットの申し込み時の動作について説明する。
まず、購入者が申込用端末６を操作し、図１７（ａ）に示すように電子チケットの申し込み操作を行ったとする。すると、申込用端末６が、通信路（有線経路等）を介して、チケット取得指示及び決済情報をサーバ装置２に送信する（図１６のステップＳ５０１）。
続いて、サーバ装置２（第１固有情報取得部２ｂ）が、送信されたチケット取得指示及び決済情報を受信し、受信した決済情報を用いて決済処理を行い、申し込まれた電子チケットの売買を完了する。続いて、サーバ装置２（管理フラグ設定部２ｄ）が、図１８（ａ）に示すように、チケットデータベース２ａから、申し込まれた電子チケット、つまり、取得したチケット取得指示が表す電子チケットのチケットＩＤと同一のチケットＩＤが設定されているレコードを抽出し、抽出したレコードのフィールド「使用管理フラグ」のフィールド値を「ＯＮ」にする（図１６のステップＳ５０２）。
【００６３】
続いて、サーバ装置２が、通信路（有線経路等）を介して、抽出したレコードのチケットＩＤ及びイベントの説明文を含むチケット情報、及びＩＣカード識別情報送信指示を、チケット取得指示等の送信元の申込用端末６に送信する（図１６のステップＳ５０３）。続いて、申込用端末６が、送信されたチケット情報及びＩＣカード識別情報送信指示を取得し、図１７（ｂ）に示すように、チケット情報、及びＩＣカード５を申込用端末６にかざすことを促すメッセージをディスプレイに提示させる（図１６のステップＳ５０４）。
ここで、メッセージを見た購入者がＩＣカード５を申込用端末６の近距離無線通信用リーダにかざし、ＩＣカード５が近距離無線通信用リーダの所定距離内にはいったとする。すると、申込用端末６が、近距離無線通信用リーダを用い近距離無線通信を介して、ＩＣカード識別情報送信指示をＩＣカード５に送信する（図１６のステップＳ５０５）。続いて、ＩＣカード５が、ＩＣカード識別情報送信指示を受信しＩＤ記憶部５ａが記憶している固有ＩＤを用いてＩＣカード識別情報を計算する（図１６のステップＳ５０６）。続いて、ＩＣカード５が、近距離無線通信を介して、算出したＩＣカード識別情報をＩＣカード識別情報送信指示の送信元の申込用端末６に送信する（図１６のステップＳ５０７）。続いて、申込用端末６が、通信路（有線経路等）を介して、送信されたＩＣカード識別情報及び取得したチケットＩＤをサーバ装置２に送信する（図１６のステップＳ５０８）。
【００６４】
続いて、サーバ装置２（第３固有ＩＤ取得部２ｍ）が、送信されたＩＣカード識別情報及び取得したチケットＩＤを取得する。続いて、サーバ装置２（物体ＩＤ紐付部２ｎ）が、図１８に示すように、チケットデータベース２ａから、第３固有ＩＤ取得部２ｍで取得したチケットＩＤが設定されているレコードを抽出し、抽出したレコードのフィールド「ＩＣカード識別情報」に、送信されたＩＣカード識別情報（固有ＩＤ）をフィールド値として記憶させる。続いて、サーバ装置２が、抽出したレコードのフィールド「ＩＣカード有効フラグ」のフィールド値を「ＯＮ」にする（図１６のステップＳ５０９）。続いて、サーバ装置２が、完了通知を、ＩＣカード識別情報及び端末識別番号の送信元の移動通信端末４に送信する（図１６のステップＳ５１０）。続いて、申込用端末６が、図１０（ｃ）に示すように、ＩＣカード５と電子チケットとの紐付けが完了を表すメッセージをディスプレイに提示（表示）させる（図１６のステップＳ５１１）。
【００６５】
このように、本変形例では、申込用端末６から電子チケットの申し込みを可能とする。これにより、移動通信端末４を所有していない人も電子チケットシステムを使用できる。
ちなみに、例えば、チケット画像を移動通信端末４に格納し、格納したチケット画像を移動通信端末４で表示することで、移動通信端末４をチケットとして使用する方法では、電子チケットシステムの利用者は必ず移動通信端末４を所有していなければならない。
【００６６】
（２）また、ＩＣカード５の代わりに、移動通信端末４やモギリ端末３と近距離無線通信（例えば、ＮＦＣ、Bluetooth（登録商標））が可能な他のデバイスや、移動通信端末４やモギリ端末３に物理的に接続できるドングル型デバイス（例えば、ＵＳＢ型や、イヤホンジャック型のデバイス）等、固有ＩＤを有する各種物体を用いる構成としてもよい。
【００６７】
（３）また、サーバ装置２（判定結果送信部２ｌ）は、電子チケットの有無の判定結果をモギリ端末３に送信した後、つまり、電子チケットが使用された後に、使用された電子チケットのチケットＩＤに設定されている使用管理フラグ（管理フラグ）を外す（解除する）構成としてもよい。具体的には、そのチケットＩＤと同一のチケットＩＤが設定されているレコードを抽出し、抽出したレコードのフィールド「使用管理フラグ」のフィールド値を「ＯＦＦ」にする。これにより、電子チケットが二重利用されることを防止できる。なお、使用管理フラグを外す機能は、サーバ管理者の操作によって動作・非動作を切り替え可能とするのが好ましい。これにより、再入場が可能なイベントでは、使用管理フラグを外す機能を停止することで、電子チケットの購入者を再入場させることができる。
【符号の説明】
【００６８】
１    電子チケットシステム
２    サーバ装置
２ａ  チケットデータベース
２ｂ  第１固有情報取得部
２ｃ  固有情報紐付部
２ｄ  管理フラグ設定部
２ｅ  第１固有ＩＤ取得部
２ｆ  固有ＩＤ紐付部
２ｇ  固有ＩＤフラグ設定部
２ｈ  第２固有情報取得部
２ｉ  第２固有ＩＤ取得部
２ｊ  固有情報判定部
２ｋ  判定結果送信部
２ｌ  第３固有ＩＤ取得部
３    モギリ端末
４    移動通信端末
５    ＩＣカード
６    申込用端末
【図１】
2017107440.tif 000003
【図２】
2017107440.tif 000004
【図３】
2017107440.tif 000005
【図４】
2017107440.tif 000006
【図５】
2017107440.tif 000007
【図６】
2017107440.tif 000008
【図７】
2017107440.tif 000009
【図８】
2017107440.tif 000010
【図９】
2017107440.tif 000011
【図１０】
2017107440.tif 000012
【図１１】
2017107440.tif 000013
【図１２】
2017107440.tif 000014
【図１３】
2017107440.tif 000015
【図１４】
2017107440.tif 000016
【図１５】
2017107440.tif 000017
【図１６】
2017107440.tif 000018
【図１７】
2017107440.tif 000019
【図１８】
2017107440.tif 000020